(57)【要約】【課題】所定の地点（例えば自移動体の位置）の近傍の詳細な情報と当該地点の遠方の情報とを同時に表示可能な情報表示装置を提供する。【解決手段】レーダ指示器は、表示部と、制御部と、を備える。表示部は、第１領域７１と、当該第１領域７１の外側を覆うように配置される第２領域７２と、を画面内に表示する。制御部は、第１領域７１と第２領域７２とに異なる縮尺を設定し、自船の周辺の情報である周辺情報を、当該周辺情報の位置と対応させて第１領域７１と第２領域７２に表示する制御を行う。なお、好ましくは、第１領域７１及び第２領域７２は縮尺が一定であり、第１領域７１の縮尺の方が大きい。【選択図】図２
2013231844.tif 000002
【特許請求の範囲】
【請求項１】
第１領域と、前記第１領域と同じ表示基準位置を有しかつ前記第１領域に連続する領域である第２領域と、を画面内に表示する表示部と、
前記第１領域と前記第２領域とに異なる縮尺を設定し、自機の周辺の情報である周辺情報を、当該周辺情報の位置と対応させて前記第１領域と前記第２領域に表示する制御を行う制御部と、
を備えることを特徴とする情報表示装置。
【請求項２】
請求項１に記載の情報表示装置であって、
前記第１領域は、所定位置を中心とする円領域であり、前記第２領域は、前記第１領域の外側に連続する領域であることを特徴とする情報表示装置。
【請求項３】
請求項２に記載の情報表示装置であって、
前記第１領域は、自機の位置を中心とする円領域であり、前記第２領域は、前記第１領域の外側に連続する領域であることを特徴とする情報表示装置。
【請求項４】
請求項１から３までの何れか一項に記載の情報表示装置であって、
前記第１領域と前記第２領域は、それぞれ縮尺が一定であることを特徴とする情報表示装置。
【請求項５】
請求項４に記載の情報表示装置であって、
前記第１領域の縮尺は、前記第２領域の縮尺よりも大きいことを特徴とする情報表示装置。
【請求項６】
請求項１から５までの何れか一項に記載の情報表示装置であって、
前記第１領域は、縮尺が一定であり、
前記第２領域は、前記表示基準位置から遠ざかるに従って縮尺が小さくなることを特徴とする情報表示装置。
【請求項７】
請求項５又は６に記載の情報表示装置であって、
前記周辺情報には、縮尺に応じて大きさが変化する情報が含まれ、当該情報を前記第２領域に表示する場合は、拡大して表示することを特徴とする情報表示装置。
【請求項８】
請求項１から７までの何れか一項に記載の情報表示装置であって、
前記制御部は、予め定められた表示条件に基づいて、前記第１領域及び前記第２領域に前記周辺情報を表示するか否かを決定することを特徴とする情報表示装置。
【請求項９】
請求項１から８までの何れか一項に記載の情報表示装置であって、
前記制御部は、前記周辺情報、自機又は画面の中央からの距離を示す線、及び領域の外枠のうち少なくとも１つの表示形態が前記第１領域と前記第２領域とで異なることを特徴とする情報表示装置。
【請求項１０】
請求項１から９までの何れか一項に記載の情報表示装置であって、
前記第１領域と前記第２領域との境界位置を変更可能であることを特徴とする情報表示装置。
【請求項１１】
請求項１から１０までの何れか一項に記載の情報表示装置であって、
移動体に搭載され、
前記制御部は、前記移動体の前記周辺情報を前記第１領域及び前記第２領域に表示することを特徴とする情報表示装置。
【請求項１２】
請求項１１に記載の情報表示装置であって、
前記第１領域に表示する前記周辺情報には、地図が含まれ、
前記第２領域に表示する前記周辺情報には、他の移動体、移動時の目印となるランドマーク、及びユーザに登録されたポイントのうち少なくとも１つが含まれ、当該周辺情報をマークによって表示することを特徴とする情報表示装置。
【請求項１３】
請求項１２に記載の情報表示装置であって、
前記第２領域に表示する周辺情報には、更に地図が含まれることを特徴とする情報表示装置。
【請求項１４】
請求項１から１３までの何れか一項に記載の情報表示装置であって、
レーダアンテナと接続され、
前記第１領域及び前記第２領域には、レーダエコーが表示されることを特徴とする情報表示装置。
【請求項１５】
自機の周辺の情報である周辺情報を画面内に表示する表示部と、
前記画面内において、外側へ向かうに従って縮尺が小さくなるように設定し、前記周辺情報を、当該周辺情報の位置と対応させて前記画面内に表示する制御を行う制御部と、
を備えることを特徴とする情報表示装置。
【請求項１６】
自機の周辺の情報である周辺情報を取得する情報取得工程と、
表示部の画面内に配置された第１領域と、前記表示部の画面内に配置され、前記第１領域と同じ表示基準位置を有しかつ前記第１領域に連続する領域である第２領域と、に異なる縮尺を設定する縮尺設定工程と、
前記縮尺設定工程で設定した縮尺で、前記周辺情報を当該周辺情報の位置と対応させて前記第１領域と前記第２領域に表示する情報表示工程と、
を含むことを特徴とする情報表示方法。
【発明の詳細な説明】
【技術分野】
【０００１】
本発明は、主要には、２つの表示領域を有する情報表示装置に関する。
【背景技術】
【０００２】
従来から、特許文献１に示すような船舶用レーダ装置において、自船の周辺の物標を示す映像（レーダ映像）を表示可能であるとともに、このレーダ映像の縮尺を変更可能な構成が知られている。縮尺を大きくすると、自船の近傍の狭い範囲のレーダ映像しか表示されないが、物標を示すエコーの詳細な位置と形状を把握することができる。一方、縮尺を小さくすると、広い範囲のレーダ映像を表示することができるが、エコーの位置と形状を詳細に知ることが困難になる。
【０００３】
そのため、上記の構成の船舶用レーダ装置では、状況に応じて縮尺を変更する必要がある。これは、船舶用レーダ装置に限られず、地上に設置されるレーダ装置や車両用ナビゲーション装置等でも同様である。
【０００４】
また、特許文献１が開示する構成は状況に応じて縮尺の変更が必要であるのに対して、特許文献２は、自動で縮尺を変更可能な船舶用ナビゲーション装置を開示する。この船舶用ナビゲーション装置は、ルート（航路）の設定が可能である。設定したルート及び自船の位置は、船舶用ナビゲーション装置が備えるディスプレイに表示される。そして、設定したルートから自船が離れた場合に縮尺が自動的に小さくなるように構成されている。これにより、手動で縮尺を変更することなく、常に自船及びルートをディスプレイに表示することができる。
【先行技術文献】
【特許文献】
【０００５】
【特許文献１】特開平８−１０５９５４号公報
【特許文献２】特開平９−２２９７１０号公報
【発明の概要】
【発明が解決しようとする課題】
【０００６】
しかし、特許文献２の構成は、自船がルートからズレた際には縮尺の変更を手動で行う必要はないが、例えば自船の近傍の詳細な海図を参照する場合には手動で縮尺を大きくする必要がある。そして、縮尺を大きくした状態では、設定したルートが参照できなかったり、自船の遠くの港等が参照できなかったりする。従って、特許文献２の構成であっても、頻繁に縮尺を変更しなければならない場合がある。
【０００７】
本発明は以上の事情に鑑みてされたものであり、その主要な目的は、所定の地点（例えば自移動体の位置）の近傍の詳細な情報と当該地点の遠方の情報とを同時に表示可能な情報表示装置を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の情報表示装置が提供される。即ち、この情報表示装置は、表示部と、制御部と、を備える。前記表示部は、第１領域と、前記第１領域と同じ表示基準位置を有しかつ前記第１領域に連続する領域である第２領域と、を画面内に表示する。前記制御部は、前記第１領域と前記第２領域とに異なる縮尺を設定し、自機の周辺の情報である周辺情報を、当該周辺情報の位置と対応させて前記第１領域と前記第２領域に表示する制御を行う。
【００１０】
これにより、第１領域と第２領域とで縮尺が異なるため、縮尺が大きい方の領域では狭い範囲について周辺情報の詳細な位置を表示することができ、縮尺が小さい方の領域では広い範囲について周辺情報の大体の位置を表示することができる。従って、ユーザの利用形態に即した形で周辺情報を表示することができる。また、縮尺を頻繁に変更することなく、必要な情報を表示することができる。
【００１１】
前記の情報表示装置においては、前記第１領域は、所定位置を中心とする円領域であり、前記第２領域は、前記第１領域の外側に連続する領域であることが好ましい。
【００１２】
これにより、第１領域が円領域なので、所定の位置から等距離にある箇所が第１領域となる。そのため、所定の位置の周囲と他の部分とで重要度を異ならせて探知を行うことができる。
【００１３】
前記の情報表示装置においては、前記第１領域は、自機の位置を中心とする円領域であり、前記第２領域は、前記第１領域の外側に連続する領域であることが好ましい。
【００１４】
これにより、自機の周囲と他の部分とで重要度を異ならせて探知を行うことができる。
【００１５】
前記の情報表示装置においては、前記第１領域と前記第２領域は、それぞれ縮尺が一定であることが好ましい。
【００１６】
これにより、縮尺が一定であるので周辺情報の位置を直感的に把握することができる。
【００１７】
前記の情報表示装置においては、前記第１領域の縮尺は、前記第２領域の縮尺よりも大きいことが好ましい。
【００１８】
これにより、例えば、表示基準位置から近い範囲の周辺情報を詳細に表示しつつ、表示基準位置から遠い範囲の周辺情報をある程度の水準で表示することができる。
【００１９】
前記の情報表示装置においては、以下の構成とすることが好ましい。即ち、前記第１領域は、縮尺が一定である。前記第２領域は、前記表示基準位置から遠ざかるに従って縮尺が小さくなる。
【００２０】
これにより、表示基準位置から遠ざかるに従って縮尺が小さくなるので、表示基準位置から相当に遠い周辺情報であっても大体の位置を表示することができる。
【００２１】
前記の情報表示装置においては、前記周辺情報には、縮尺に応じて大きさが変化する情報が含まれ、当該情報を前記第２領域に表示する場合は、拡大して表示することが好ましい。
【００２２】
これにより、この種の周辺情報（レーダエコーや地図等）を縮尺が小さい領域に表示する際に、周辺情報が小さ過ぎてユーザが確認できなくなることを防止できる。
【００２３】
前記の情報表示装置においては、前記制御部は、予め定められた表示条件に基づいて、前記第１領域及び前記第２領域に前記周辺情報を表示するか否かを決定することが好ましい。
【００２４】
これにより、ユーザにとって必要な周辺情報のみが表示されるように表示条件を設定することで、表示される表示対象の数を減らして、表示を見易くすることができる。
【００２５】
前記の情報表示装置においては、前記制御部は、前記周辺情報、自機又は画面の中央からの距離を示す線、及び領域の外枠のうち少なくとも１つの表示形態が前記第１領域と前記第２領域とで異なることが好ましい。
【００２６】
これにより、ユーザは、画面上のどの部分が第１領域又は第２領域であるかを視覚的にかつ即座に判別することができる。
【００２７】
前記の情報表示装置においては、前記第１領域と前記第２領域との境界位置を変更可能であることが好ましい。
【００２８】
これにより、ユーザの利用形態に即した形で周辺情報を表示することができる。
【００２９】
前記の情報表示装置においては、移動体に搭載され、前記制御部は、前記移動体の前記周辺情報を前記第１領域及び前記第２領域に表示することが好ましい。
【００３０】
これにより、少なくとも２種類の縮尺で移動体の周辺情報を表示することができるので、ユーザは、縮尺を頻繁に変更することなく移動体を移動させることができる。例えば、第１領域の縮尺を大きくして自移動体の近傍に存在する他の移動体等の位置を詳細に把握しつつ、目的地等の大体の位置を把握することができる。
【００３１】
前記の情報表示装置においては、以下の構成とすることが好ましい。即ち、前記第１領域に表示する前記周辺情報には、地図が含まれる。前記第２領域に表示する前記周辺情報には、他の移動体、移動時の目印となるランドマーク、及びユーザに登録されたポイントのうち少なくとも１つが含まれ、当該周辺情報をマークによって表示する。
【００３２】
これにより、画面の中央に地図を表示しつつ、その周りに様々なマークを表示することができる。従って、ユーザは、ランドマーク等の大体の位置を常に参照しながら移動体を移動させることができる。
【００３３】
前記の情報表示装置においては、前記第２領域に表示する周辺情報には、更に地図が含まれることが好ましい。
【００３４】
これにより、第２領域において地図上にどのような情報があるかを表示することができるので、表示基準位置から遠い箇所についてもより詳細な情報を表示することができる。
【００３５】
前記の情報表示装置においては、以下の構成とすることが好ましい。即ち、レーダアンテナと接続される。前記第１領域及び前記第２領域には、レーダエコーが表示される。
【００３６】
これにより、重要な範囲（例えば自機の近傍）では詳細なレーダエコーを表示しつつ、重要度が低い範囲では距離方向に圧縮した形で広範囲のレーダエコーを表示することができる。従って、縮尺の変更を頻繁に行うことなく必要な情報を重要度に応じた形で表示することができる。
【００３７】
本発明の第２の観点によれば、以下の構成の情報表示装置が提供される。即ち、この情報表示装置は、表示部と、制御部と、を備える。前記表示部は、自機の周辺の情報である周辺情報を画面内に表示する。前記制御部は、前記画面内において、外側へ向かうに従って縮尺が小さくなるように設定し、前記周辺情報を、当該周辺情報の位置と対応させて前記画面内に表示する制御を行う。
【００３８】
これにより、画面の中央に近づくに従って周辺情報をより詳細に表示することが可能な情報表示装置が実現できる。
【００３９】
本発明の第３の観点によれば、以下の情報表示方法が提供される。即ち、この情報表示方法は、情報取得工程と、縮尺設定工程と、情報表示工程と、を含む。前記情報取得工程では、自機の周辺の情報である周辺情報を取得する。前記縮尺設定工程では、表示部の画面内に配置された第１領域と、前記表示部の画面内に配置され、前記第１領域と同じ表示基準位置を有しかつ前記第１領域に連続する領域である第２領域と、に異なる縮尺を設定する。前記情報表示工程では、前記縮尺設定工程で設定した縮尺で、前記周辺情報を当該周辺情報の位置と対応させて前記第１領域と前記第２領域に表示する。
【００４０】
これにより、ユーザの利用形態に即した形で周辺情報を表示することができる。また、縮尺を頻繁に変更することなく、必要な情報を表示することができる。
【図面の簡単な説明】
【００４１】
【図１】本発明の一実施形態に係るレーダ装置のブロック図。
【図２】表示部に表示される画面の一例を示す図。
【図３】表示内容を変更したときの画面を示す図。
【図４】表示条件の例を示す表。
【図５】第１変形例に係る表示部に表示される画面を示す図。
【図６】第２変形例に係る表示部に表示される画面を示す図。
【図７】魚群探知機に本発明を適用したときに表示部に表示される画面を示す図。
【発明を実施するための形態】
【００４２】
次に、図面を参照して本発明の実施の形態を説明する。図１は、本発明の一実施形態に係る船舶用レーダ装置１のブロック図である。図２は、表示部３５に表示される画面の一例を示す図である。
【００４３】
図１に示すように、本実施形態の船舶用レーダ装置１は、レーダアンテナ１１と、レーダ指示器（情報表示装置）１２と、を備えている。
【００４４】
船舶用レーダ装置１は、パルスレーダ装置として構成されており、レーダアンテナ１１は、指向性の強いパルス状電波の送信を行い、当該パルス状電波が物標に反射して戻ってきた反射波（エコー）を受信するように構成されている。また、レーダアンテナ１１は、水平面内で回転しながら、電波の送受信を繰り返し行うように構成されている。以上の構成で、水平面内を、自船を中心として３６０°にわたってスキャンすることができる。
【００４５】
なお、このパルスレーダに代えて、ＣＷ（ｃｏｎｔｉｎｕｏｕｓ  ｗａｖｅ）レーダやパルスドップラーレーダを用いても良い。また、レーダアンテナを回転させない構成のレーダ装置を用いても良い。例えば、全周方向にアンテナ素子を有する構成のレーダ装置や、前方等の特定の方向のみを探知するレーダ装置等は、レーダアンテナを回転させる必要がない。
【００４６】
レーダアンテナ１１が受信した信号は、図略の受信回路でＡ／Ｄ変換等を行ってデジタルのデータに変換され、レーダ指示器１２へ出力される。
【００４７】
レーダ指示器１２は、スイープメモリ３１と、ＴＴ情報算出部３２と、制御部３４と、表示部３５と、操作部３６と、他船情報記憶部３７と、海図情報記憶部３８と、表示条件記憶部３９と、を備える。また、レーダ指示器１２には、前記レーダアンテナ１１の他に、ＧＰＳ受信機２１と、ＡＩＳ受信機２２と、が接続されている。
【００４８】
レーダアンテナ１１が出力したデータは、スイープメモリ３１に入力される。スイープメモリ３１は、レーダアンテナ１１の１回転分のデータを記憶可能である。レーダアンテナ１１の１回転分のデータは、自船を中心として水平面内を３６０°にわたってスキャンしたデータであるので、自船周辺の物標の様子（自船に対する物標の相対位置）を示す２次元画像（レーダ映像）がスイープメモリ３１に記憶されることになる。
【００４９】
制御部３４は、各種のプログラムを実行するＣＰＵと、表示部３５にレーダ映像を表示するためのプログラム等が記憶されるＲＯＭと、を主要な構成として備えている。
【００５０】
表示部３５は、液晶ディスプレイ等で構成されており、制御部３４が作成したレーダ映像等を画面内に表示することができる。レーダ映像は、図２に示すように、船舶や島の輪郭を示すエコー６１から構成されている。
【００５１】
また、表示部３５は、図２に示すように円形の表示領域７０を有している。表示領域７０の中心部には、自船の位置を示す自船マーク６０が表示されている。制御部３４は、自船の周辺の情報（周辺情報）、具体的には、レーダ映像、海図、後述のＴＴ情報及びＡＩＳ情報等を、この表示領域７０に表示する制御を行う。
【００５２】
また、表示領域７０は、第１領域（内側領域）７１と、第１領域７１の外側に連続する（外側を覆うように配置される）領域である第２領域（外側領域）７２と、から構成されている。図２の例では、第１領域７１は、自船の位置を基準とした半径３ｋｍの円領域であり、１ｋｍ毎にレンジリング７１ａが表示されている。レンジリング７１ａとは、自船又は画面の中央からの距離を示す線である。また、第１領域７１は縮尺が一定である。
【００５３】
第２領域７２は、自船の位置を基準とした半径３ｋｍから８ｋｍまでの円領域であり、１ｋｍ毎にレンジリング７２ａが表示されている。このように、第１領域７１と第２領域７２とは、同じ表示基準位置（自船の位置）を有しており、当該表示基準位置からの距離に応じて領域が定められている。なお、表示基準位置は、自船の位置に限られず、画面の中央等であっても良い。第２領域７２は、縮尺が一定であるが、第１領域７１よりも縮尺が小さいため、レンジリング７２ａの間隔が狭くなっている。この構成により、自船の近傍の状況を詳細に表示しつつ、自船から遠い範囲についてもある程度情報を表示することができる。
【００５４】
また、本実施形態では、第２領域７２の輪郭（枠部）が太線になっており、第１領域７１と第２領域７２との境界が視覚的に明確な構成である。更には、レンジリング７１ａが実線であるのに対し、レンジリング７２ａが破線であるので、レンジリングによっても第１領域７１か第２領域７２かが容易に判別できる。これにより、ユーザは、第１領域７１と第２領域７２とを視覚的かつ即座に判別することができる。
【００５５】
ＴＴ情報算出部３２は、ＴＴ（Ｔａｒｇｅｔ  Ｔｒａｃｋｉｎｇ、目標追尾）機能を実現するためのものである。このＴＴ（又はＡＲＰＡ）機能は公知であるので詳細な説明は省略するが、スイープメモリ３１に記憶されたデータに基づいて物標の位置を自動的に検出・捕捉するとともに、時間推移に基づいて当該物標の移動を追尾することにより速度ベクトルを推定するものである。なお、ＴＴで得られる物標の情報は、自船に対する相対的な情報である。従って、ＴＴ情報算出部３２は、物標の相対位置（自船からの距離及び自船から見た方位）、及び、自船に対する物標の相対的な速さ等の情報を算出することができる。ＴＴ情報算出部３２が算出したＴＴ情報は、他船情報記憶部３７へ出力される。
【００５６】
また船舶用レーダ装置１には、ＡＩＳ受信機２２が接続されている。ＡＩＳ受信機２２は、他船に搭載されるＡＩＳ（Ａｕｔｏｍａｔｉｃ  Ｉｄｅｎｔｉｆｉｃａｔｉｏｎ  Ｓｙｓｔｅｍ、船舶自動識別装置）が出力するＡＩＳ情報を受信している。このＡＩＳ信号には、当該他船の位置、船速、及び針路等の情報が含まれている。ＡＩＳ信号に含まれる他船の情報は、地球基準の絶対的な情報である。なお、以下の説明では、地球基準の絶対的な位置（経度及び緯度）を絶対位置と称する。ＡＩＳ受信機２２が他船から受信したＡＩＳ情報は、他船情報記憶部３７へ出力される。
【００５７】
他船情報記憶部３７は、上記のようにして得られたＡＩＳ情報及びＴＴ情報を記憶している。制御部３４は、他船情報記憶部３７からＡＩＳ情報及びＴＴ情報を取得して、表示部３５に表示する（図３のＴＴシンボル６５及びＡＩＳシンボル６６を参照）。なお、ＡＩＳ信号には他船の絶対位置しか含まれていないが、制御部３４は、ＧＰＳ受信機２１から得られる自船の絶対位置を利用することにより、ＡＩＳ信号が示す他船の相対位置を算出する。
【００５８】
海図情報記憶部３８は、電子海図を記憶している。この電子海図には、陸地の位置等に加え、航海のために必要な情報、具体的には、ランドマーク、水深、底質、海岸地形、海底危険物等が含まれている。ランドマークとは、移動時の目印となるものである。航海時におけるランドマークの具体例としては、灯台、港、山、島、及び航路ブイ（浮標）等がある。なお、本発明においてランドマークとは、陸上に配置された目印だけでなく、上記航路ブイ等のように海上に配置された目印も含む概念とする。制御部３４は、自船の周りの地形やランドマーク等を表示部３５に表示する（図２の陸地や浮標記号６２、灯台記号６３等を参照）。
【００５９】
なお、本明細書において「地図」とは、地球（地表）の一部又は全部を縮小して表した図を示し、陸地を主として記された図のみを示すものではない。従って、本明細書における「地図」には、航空機の航行のための情報が記された航空図や、船舶の航行のための情報が記された海図等も含まれる。
【００６０】
表示条件記憶部３９は、表示条件を記憶する。表示条件とは、第２領域７２にシンボル等が多数配置されて見にくくなるのを防止するために設定されるものであり、当該条件を満たした表示対象のみが第２領域７２に表示される。なお、本実施形態では第２領域７２にのみ表示条件を設定しているが、第１領域７１にも第２領域７２と同一又は異なる表示条件を設定しても良い。
【００６１】
図４は、この表示条件の一例を示している。この例では、図４（ａ）から図４（ｃ）に示すように、「距離」、「方位」、「速度」が表示条件として設定されている。
【００６２】
「距離」は、自船からの距離に応じて表示する対象の表示／非表示を定める項目である。また、この距離は、表示する対象の種類に応じて異なる値を設定可能である。これにより、例えば港については、遠方にあっても第２領域７２に表示する一方、遠方の他船については第２領域７２に表示しないこと等が可能となる。また、第２領域７２の縮尺に応じて自動的にこの距離が変更される構成であっても良い。
【００６３】
「方位」は、表示する対象が位置する方向に応じて当該対象の表示／非表示を定める項目である。この方向についても、表示する対象の種類に応じて異なる値を設定可能である。これにより、例えば港については、自船の後方に位置する場合は表示しない一方で、他船については自船の後方に位置していても表示すること等が可能となる。
【００６４】
「速度」は、他船の速度に応じて当該他船の表示／非表示を定める項目である。これにより、例えば高速の船舶のみ表示することで、注目すべき船舶のみを表示することができる。なお、「距離」、「方位」、「速度」はユーザによって値の変更が可能であっても良い。また、表示条件は、上記で説明した例に限られず、任意の条件を設定することができる。
【００６５】
以上のように、制御部３４は、スイープメモリ３１、他船情報記憶部３７、及び海図情報記憶部３８等から周辺情報を取得して（取得工程）、前述のように第１領域７１と第２領域７２とで縮尺を変更しつつ（縮尺設定工程）、取得した周辺情報を表示部３５に表示する（情報表示工程）。
【００６６】
また、ユーザは、操作部３６を構成するトラックボールやキー等を操作することで、表示領域７０の表示形態を設定したり、表示領域７０に表示する内容（表示内容）を設定したりすることができる。
【００６７】
表示形態の設定としては、ユーザは、所定のメニュー画面を出した後に縮尺を入力する等して、第１領域７１又は第２領域７２の縮尺を変更することができる。また、ユーザは、第１領域７１と第２領域７２との境界線をドラッグ等して、この境界線の位置も適宜変更することができる。
【００６８】
表示内容の設定としては、例えば、ユーザは、第１領域７１及び第２領域７２にどの周辺情報を表示するかを個別に設定可能である。また、ユーザは、船舶を、エコー６１として表示するか、ＴＴシンボル６５又はＡＩＳシンボル６６として表示するか、両方を重畳して表示するか、を設定可能である。
【００６９】
図２に示す例では、第１領域７１及び第２領域７２の両方にエコー及びチャートを表示する設定である。また、船舶をエコー６１として表示する設定である。なお、地形やエコー６１は、縮尺に応じて大きさが変化する情報であるため、第１領域７１と第２領域７２とで表示される形状が異なる。具体的には、第２領域７２に表示される地形やエコー６１は、第１領域７１の地形やエコー６１と比較して、径方向に圧縮して表示される。
【００７０】
図３に示す例では、第１領域７１にエコー及びチャートを表示しつつ、第２領域７２にはマークを表示する設定である。また、船舶をＴＴシンボル６５又はＡＩＳシンボル６６として表示する設定である。従って、図３に示す例では、チャートの灯台記号６３に代えて、灯台の位置を示すマークである灯台マーク６４が表示されている。なお、図３に示す例において、第２領域７２に更にチャートを表示しても良い。
【００７１】
以上に説明したように、レーダ指示器１２は、表示部３５と、制御部３４と、を備える。表示部３５は、第１領域７１と、当該第１領域７１の外側を覆うように配置される第２領域７２と、を画面内に表示する。制御部３４は、第１領域７１と第２領域７２とに異なる縮尺を設定し、自船の周辺の情報である周辺情報を、当該周辺情報の位置と対応させて第１領域７１と第２領域７２に表示する制御を行う。なお、本実施形態では、第１領域７１及び第２領域７２は縮尺が一定であり、第１領域７１の縮尺の方が大きい。
【００７２】
これにより、縮尺が一定であるので周辺情報の位置を直感的に把握することができる。また、第１領域７１の縮尺が第２領域７２よりも大きいので、自船から近い範囲の周辺情報を詳細に表示しつつ、自船から遠い範囲の周辺情報をある程度の水準で表示することができる。
【００７３】
次に、上記実施形態の第１変形例を説明する。図５は、第１変形例に係る表示部に表示される画面を示す図である。なお、本変形例の説明においては、前述の実施形態と同一又は類似の部材には図面に同一の符号を付し、説明を省略する場合がある。
【００７４】
第１変形例では、第２領域７２の縮尺が一定ではなく変化する構成である。具体的には、第２領域７２は、第１領域７１から遠ざかるに従って縮尺が小さくなる構成である。第１変形例では、対数関数を利用して縮尺の変化を設定している。そのため、第１変形例では、第２領域７２の外枠部は自船から１００ｋｍの距離を示すが、第２領域７２の中央部は、自船から１０ｋｍの距離を示している。なお、第１変形例では、上記実施形態のように所定の距離毎にレンジリング７２ａを引くと線が多数重なって視認性が低下するため、画面上におけるレンジリング７２ａの間隔が一定となるように、当該レンジリング７２ａを引く構成である。
【００７５】
次に、上記実施形態の第２変形例を説明する。図６は、第２変形例に係る表示部に表示される画面を示す図である。
【００７６】
第２変形例では、表示領域７０は、第１領域７１と第２領域７２とに分かれていない。表示領域７０は、縮尺が一定ではなく、画面の中央（即ち自船の位置）から外側へ向かうに従って縮尺が小さくなるように設定されている。この場合においても、第１変形例と同様に対数関数を利用して縮尺の変化を設定することができる。
【００７７】
なお、第２変形例では、第１変形例と異なり、所定の距離（５ｋｍ）毎にレンジリング７０ａを引く構成である。従って、縮尺の小さい外側部分においては、レンジリング７０ａ同士の間隔が短くなる。
【００７８】
また、上記実施形態では、距離方向に圧縮されたエコー６１（図２）を表示した。しかし、同様の方法を第２変形例に適用すると、第２変形例の外側部分は縮尺がかなり小さいため、距離方向に相当に圧縮されてしまい、エコー６１を見過ごすことが考えられる。従って、第２変形例では、エコー６１の拡大処理を行い、縮尺に関係なくエコー６１が同じ大きさとなるようにして表示する。
【００７９】
以上に本発明の好適な実施の形態及び変形例を説明したが、上記の構成は例えば以下のように変更することができる。
【００８０】
なお、第１領域７１と第２領域７２とで表示形態を変える方法は上記に限られず、例えば第２領域７２に表示される周辺情報（エコー６１や灯台マーク６４等）を第１領域７１に表示される周辺情報よりも薄く表示する構成であっても良い。また、第１領域７１と第２領域７２との背景に異なる色又は明るさを設定しても良い。
【００８１】
表示領域７０は円形に限られず、例えば矩形とすることができる。その場合、第１領域７１及び第２領域７２も矩形とすることができる。また、円形の第１領域７１の周りに矩形の第２領域７２を配置する等、第１領域７１及び第２領域７２の形状も任意に変更することができる。
【００８２】
上記実施形態では、画面の中央と自船の位置とが一致する構成だが、一致しない構成であっても良い。例えば、自船の前方を後方よりも詳しく表示させるために、画面の中央からやや下方に自船の位置を設定しても良い。
【００８３】
第１領域７１の縮尺が第２領域７２の縮尺よりも小さい構成であっても良い。また、第１領域７１の縮尺は一定でなくても良い。更には、第１領域７１及び第２領域７２の縮尺を変動させる構成は対数関数に限られず、適宜の関数等を用いることができる。
【００８４】
周辺情報としてユーザ登録ポイントを用いることもできる。ユーザ登録ポイントとは、ユーザによって登録された位置（例えば魚が良く釣れた位置等）のことである。ユーザは、操作部３６を操作することにより、例えば現在の自船の位置をユーザ登録ポイントとして登録することができる。制御部３４は、ユーザ登録ポイントの作成の指示を受けた場合、ＧＰＳ受信機２１から取得した現在の自船の絶対位置と、ユーザ登録ポイントを示すアイコンと、を記憶する。そして、制御部３４は、このアイコンを、第１領域７１又は第２領域７２に表示する。
【００８５】
本発明は、船舶用レーダ装置に限られず、灯台等に設置され、移動体の位置等を監視するレーダ装置であっても良い。また、レーダ装置以外にも、プロッタ装置、スキャニングソナー、魚群探知機等の他の舶用機器に適用することができる。なお、魚群探知機には、縦軸が深度を表し横軸が時間を表す画面が表示されるが、このような画面にも本発明を適用することができる。具体的に説明すると、本発明を適用した魚群探知機には、例えば図７に示す画面が表示される。図７では、海面から水深２０ｍまでを第１領域７１とし、それ以降を第２領域７２として、第１領域７１と第２領域７２とで縮尺を異ならせている。このように、本発明を適用した魚群探知機は、所定の領域（例えば海底付近や所望の魚がいる深度）だけ通常の縮尺で表示し、その他の領域を圧縮して表示することができる。
【００８６】
本発明の情報表示装置が搭載される移動体は船舶に限られず、例えば、航空機、自動車等に搭載される構成であっても良い。例えば自動車に搭載される場合、上記実施形態と同様に、自機を含む水平面内の物標等を表示する方法を用いることができる。また、航空機に搭載される場合、上記実施形態の表示方法以外にも、例えば自機の前方の物標等について、縦軸が高度を表し横軸が距離を表すような表示方法を用いることもできる。なお、この表示方法では縦軸及び横軸は、ともに距離情報（所定位置からの距離だけでなく、深度及び高度も含む情報）を表している。従って、この表示方法では、縦軸（高度）と横軸（距離）の何れかに境界を定めて第１領域と第２領域とを設定することができる。例えば、縦軸に境界を設定する場合、所定の高度以上と未満で領域を分けることができる。一方、横軸に境界を設定する場合、所定の距離以上と未満で領域を分けることができる。
【００８７】
上述した例で示したように、情報表示装置は、座標軸の少なくとも１つが距離情報を表していれば、他の座標軸は任意の情報を表示する構成であっても良い。また、情報表示装置は、情報を２次元的に表示する構成に限られず、情報を３次元的に表示する構成（座標軸が３つある構成、例えば方位に加え高度（深度）を表示する構成）であっても良い。
【符号の説明】
【００８８】
１  船舶用レーダ装置
１２  レーダ指示器（情報表示装置）
３１  スイープメモリ
３２  ＴＴ情報算出部
３４  制御部
３５  表示部
３６  操作部
３７  他船情報記憶部
３８  海図情報記憶部
３９  表示条件記憶部
７０  表示領域
７１  第１領域
７２  第２領域
【図１】
2013231844.tif 000003
【図２】
2013231844.tif 000004
【図３】
2013231844.tif 000005
【図４】
2013231844.tif 000006
【図５】
2013231844.tif 000007
【図６】
2013231844.tif 000008
【図７】
2013231844.tif 000009